(57)【要約】【課題】操作ハンドルの組付作業が簡単であるばかりか、メンテナンスにおける取付・取外作業も簡単に行なえて作業性が向上すると共に不正行為をも防止できる遊技機用操作ハンドルの取付構造を提供する。【解決手段】後側に円筒状基部２５が突設されその外周面に環状凹溝２７が周設された操作ハンドル１８と、遊技機Ｐの前面側に設けられ円筒状基部２５を隙間なく嵌入する取付孔３２が貫設されたハンドル取付部２９と、環状凹溝２７に着脱自在に嵌められる抜止部材３５とを備え、取付孔３２に円筒状基部２５を嵌入した状態で、遊技機Ｐの前面より後方であって取付孔３２より食み出た部位に位置する環状凹溝２７に抜止部材３５を嵌めることにより該抜止部材３５がハンドル取付部２９に当接して操作ハンドル１８が固定されるようにした。【選択図】図３
2006263060.tif 000002
【特許請求の範囲】
【請求項１】
後側に円筒状基部が突設され該円筒状基部の外周面に環状凹溝が周設された操作ハンドルと、遊技機の前面側に設けられその前側から前記円筒状基部を隙間なく嵌入する取付孔が貫設されたハンドル取付部と、前記環状凹溝に着脱自在に嵌められる抜止部材とを備え、前記取付孔に前記円筒状基部を嵌入した状態では、前記環状凹溝が前記遊技機の前面より後方でありかつ前記取付孔より食み出た部位に位置し、前記環状凹溝に前記抜止部材を嵌めることにより該抜止部材が前記ハンドル取付部に当接して操作ハンドルが固定されるようにした遊技機用操作ハンドルの取付構造。
【請求項２】
前記抜止部材は、１本の弾力性を備えた線材を屈曲させて環状に成形した請求項１記載の遊技機用操作ハンドルの取付構造。
【請求項３】
前記抜止部材にはその周囲に、前記環状凹溝に嵌められたとき該環状凹溝より外側へ突出してハンドル取付部に当接する抜止部を設けた請求項１または２記載の遊技機用操作ハンドルの取付構造。
【発明の詳細な説明】
【技術分野】
【０００１】
本発明は、パチンコ遊技機等の遊技機の前面に取着され打球発射部から発射されるパチンコ球の打球力を調整するための遊技機用操作ハンドルの取付構造に関するものである。
【背景技術】
【０００２】
従来、遊技機の一種であるパチンコ遊技機には、その前面下部に打球発射部から発射されるパチンコ球の打球力を調整するための操作ハンドルが取着されている。この操作ハンドルは、手で握って回動させることにより前記打球力の強さを調整する操作レバーを有し、後側にパチンコ遊技機の前面に取着するための円筒状基部が突設されている。一方、パチンコ遊技機の前面には前記円筒状基部を嵌合して取着するハンドル取付部が設けられている。そして、パチンコ遊技機の前側から前記ハンドル取付部に円筒状基部を嵌合し、この状態で円筒状基部部位でビス締めすることにより、操作ハンドルを取着するようにしている（例えば、特許文献１参照。）。
【特許文献１】実公平０７−２４１４４号公報（第３頁、第２図）
【発明の開示】
【発明が解決しようとする課題】
【０００３】
しかしながら、前記特許文献１の遊技機用操作ハンドルの取付構造にあっては、操作ハンドルをパチンコ遊技機の前面にビスを螺締して取着している。このため、操作ハンドルの組付作業にビス止めといった面倒な作業を強いられていた。また、例えば、内部に配置された配線基板が故障するなどしてその修理をするには、操作ハンドルを一時的に取り外すに前記ビスをいちいち外さねばならず、再び操作ハンドルを取り付けるにもビスを螺締せねばならない。このように、操作ハンドルの組付作業には面倒な手間が掛かり、しかも、メンテナンスのための取付・取外作業にも面倒な手間や時間が掛かり、作業性が悪いという課題があった。
【０００４】
また、前記ビスはパチンコ遊技機の前面で螺締されており、その頭部が外部に露出している関係から、遊技者がいたずらしてそのビスを外し不正行為をするおそれがあるという課題もあった。
【０００５】
そこで、本発明は上記課題に鑑みてなされたもので、操作ハンドルの組付作業が簡単であるばかりか、メンテナンスにおける取付・取外作業も簡単に行なえて作業性が向上すると共に不正行為をも防止できる遊技機用操作ハンドルの取付構造を提供することを目的とするものである。
【課題を解決するための手段】
【０００６】
かかる目的を達成するため本発明に係る遊技機用操作ハンドルの取付構造は、後側に円筒状基部が突設され該円筒状基部の外周面に環状凹溝が周設された操作ハンドルと、遊技機の前面側に設けられその前側から前記円筒状基部を隙間なく嵌入する取付孔が貫設されたハンドル取付部と、前記環状凹溝に着脱自在に嵌められる抜止部材とを備え、前記取付孔に前記円筒状基部を嵌入した状態では、前記環状凹溝が前記遊技機の前面より後方でありかつ前記取付孔より食み出た部位に位置し、前記環状凹溝に前記抜止部材を嵌めることにより該抜止部材が前記ハンドル取付部に当接して操作ハンドルが固定されるようにした。
【０００７】
前記抜止部材は、例えば、１本の弾力性を備えた線材を屈曲させて環状に成形したものであることが好ましい。また、抜止部材にはその周囲に、環状凹溝に嵌められたとき該環状凹溝より外側へ突出してハンドル取付部に当接する抜止部を設けることが好ましい。
【発明の効果】
【０００８】
本発明に係る遊技機用操作ハンドルの取付構造は、ハンドル取付部の取付孔に操作ハンドルの円筒状基部を嵌入した状態で、遊技機の前面より後方であって前記取付孔より食み出た部位に位置する環状凹溝に抜止部材を着脱自在に嵌めることにより抜止部がハンドル取付部に当接して操作ハンドルが固定されるようにしたので、ビス止めすることなく操作ハンドルが取り付けられ、組付作業が簡単になるばかりか取外作業も簡単に行える。よって、メンテナンスにおける操作ハンドルの取付・取外作業も簡単に行なえ作業性が向上するという効果がある。また、抜止部材は遊技機の前面より後方で環状凹溝に嵌められるので、遊技者の不正行為をも防止できるという効果が有る。
【０００９】
また、前記抜止部材を１本の弾力性を備えた線材を屈曲させて環状に成形するようにすれば、その成形が簡単であって製作コストも低廉にでき、操作性にも優れるという効果が有る。更に、抜止部材の周囲に、ハンドル取付部に当接する抜止部を設けるようにすれば、操作ハンドルの抜止機能を確実なものとすることができる。
【発明を実施するための最良の形態】
【００１０】
以下、本発明に係る遊技機用操作ハンドルの取付構造の実施の形態を図面に基づき説明する。遊技機には、パチンコ遊技機、雀球遊技機、アレパチ機、アレンジボール機があり、本発明はいずれにも適用できるが、この内、パチンコ遊技機について説明する。
【００１１】
図１は本発明が適用されるパチンコ遊技機の正面図、図２は下部前板を開き前側から見たパチンコ遊技機の斜視図である。遊技機としてのパチンコ遊技機Ｐは木製からなる縦長方形状の外枠１を有し、該外枠１の前面に額縁状の前面枠２がその一側上下部を前記外枠１の一側上下部に設けた軸支部３，３に軸支して回動自在に装着される。この前面枠２に遊技盤４が配設される。
【００１２】
前記遊技盤４の前面に、外側・内側ガイドレール５ａ，５ｂが渦巻き状に敷設される。そして、外側・内側ガイドレール５ａ，５ｂで囲われる遊技部４ａには、ほぼ中央に位置して数字、図柄等の情報が変動表示される可変表示装置６、その下方に位置し遊技球としてのパチンコ球の入賞により該可変表示装置６を作動させる始動入賞口７、また、その下方に位置して前記可変表示装置６の情報が特定の表示に揃ったとき一定の条件で一度に多くの入賞球としてのパチンコ球が得られる入賞装置８が配置される。更には、遊技部４ａの適宜位置に一般入賞口９がそれぞれ装着されている。
【００１３】
前記前面枠２の前面に遊技盤４の前面を被う透明板保持枠１０が開閉自在に装着される。該透明板保持枠１０には透明板であるガラス板１１により被われる窓開口１２が開設され、該窓開口１２に前記遊技盤４の遊技部４ａが臨むようになっている。また、透明板保持枠１０の下方に前面板１３及び下部前板１４が同じく開閉自在に装着される。
【００１４】
前記前面板１３の前面には打球発射部（図示せず。）へ供給されるパチンコ球を貯留するための上球皿１５が装着される。また、下部前板１４の前面には、その中央部に前記上球皿１５から溢れるパチンコ球を貯留するための下球皿１６が装着され、その一側に灰皿１７が装着される。そして、下球皿１６の他側に打球発射部から発射されるパチンコ球の打球力を調整するための操作ハンドル１８が取着される。なお、詳しい説明は省略するが、前面枠２の下部に前記前面板１３、下部前板１４に被われるようにして発射装置１９が取着される。該発射装置１９には、打球発射部のパチンコ球を打球して発射させる打球槌２０や該打球槌２０を回動させる駆動モータ（図示せず。）が備えられている。操作ハンドル１８は発射装置１９に関連付けられて取着される。
【００１５】
次に、本発明に係る遊技機用操作ハンドルの取付構造について説明する。図３は操作ハンドル部位の分解斜視図を示す。操作ハンドル１８は、後側に位置し前面が開放する椀状の握持部２１と、前側に位置し後面が開放した半球状のキャップ部２２と、該キャップ部２２と握持部２１との間に介在され自在に回動して発射球の打球力を調整する操作レバー２３と、から構成される。操作レバー２３の外周面には指を掛けるための掛止部２４が適宜位置に突設される。
【００１６】
前記握持部２１の後側に円筒状基部２５が突設される。該円筒状基部２５の後側の上部は切除されて切除部２６が成形され、該切除部２６に係るようにして円筒状基部２５の外周面にその中心軸線に対し直交する面内に位置して一条の環状凹溝２７が周設される。また、円筒状基部２５の外周面全体には前記中心軸線と平行なガイド凹条２８が多数本凹設されている。
【００１７】
一方、パチンコ遊技機Ｐの前面すなわち下部前板１４の前面にハンドル取付部としての軸受部材２９が設けられる。該軸受部材２９は、方形状のフランジ部３０の前面に保持筒部３１が一体に突設され、該保持筒部３１にその前側から前記円筒状基部２５を隙間なくかつ後方へ貫通するように嵌入する取付孔３２が貫設される。該取付孔３２の内周面には、前記各ガイド凹条２８に対応してこれらが嵌り込むガイド凸条３３がその中心軸線と平行に突設される。そして、下部前板１４に開設した通孔３４にその後側から保持筒部３１を挿通し固着することで軸受部材２９が取り付けられる。
【００１８】
前記環状凹溝２７に着脱自在に嵌められる抜止部材３５は、１本の弾力性を備えた線材を屈曲させて環状に成形される。そして、上部の両端に線材を丸く屈曲させた摘み部３６，３６が設けられ、周囲３箇所に環状凹溝２７に嵌められたとき該環状凹溝２７より外側へ突出する抜止部３７が設けられる。また、抜止部材３５には、環状凹溝２７に嵌めたとき、抜止部材３５が円筒状基部２５をその外周面から挟むように弾力性が付与されている。前記摘み部３６，３６と各抜止部材３７とが操作ハンドル１８の抜止機能を果すが、これら抜止部３７は、抜止部材３５が開いたとき該抜止部材３５に加わる内部の力を分散させて弾性力の衰えを防止する機能も有する。
【００１９】
そこで、操作ハンドル１８の取付手順を説明する。まず、下部前板１４を開けた状態で、該下部前板１４の前側から取付孔３２に円筒状基部２５を嵌入する。この際、各ガイド凹条２８に各ガイド凸条３３が嵌り込むので、位置決めが簡単になりしかも操作ハンドル１８がその中心軸線に対して直交する面内で無用に回転するようなことはなく保持される。また、この際、環状凹溝２７は下部前板１４の前面より後方であって取付孔３２より後側へ食み出た部位に位置する。詳しくは、取付孔３２の後端出口面から後方へ僅かに出た位置に環状凹溝２７が位置する。
【００２０】
次に、図４に示すように抜止部材３５をその内径が大きくなるように開き、下部前板１４の後側から円筒状基部２５の環状凹溝２７に宛がう。両摘み部３６，３６は切除部２６の上方に位置することから、広い空間ができ邪魔になるものがなくその取扱いが容易である。そして、図５、図６に示すように両摘み部３６，３６を互いに交差させて抜止部材３５を閉じる。これにより、抜止部材３５が環状凹溝２７に嵌り円筒状基部２５をその外周面から挟み込む。また、この状態では、摘み部３６，３６と各抜止部３７が環状凹溝２７すなわち取付孔３２より外側へ突出しており、しかも、フランジ部３０の後面に当接するので、操作ハンドル１８が取付孔３２から無用に抜け出ることがなく、ガタツクこともなくしっかりと固定される。また、両把持部３６を摘んで抜止部材３５を開くことにより、環状凹溝２７から抜止部材３５が簡単に取り外せる。
【００２１】
操作ハンドル１８を取着した後は下部前板１４を閉める。この際、図６に示すように前記操作レバー２３の中心から後方へ一体に突設される筒部２３ａに、前面枠２側に固着された軸筒部３８から前方へ突出する軸杆３９の先端部が接続される。前記軸杆３９の基端部には、前記打球槌２０の打球力を調整するためバネ部材（図示せず。）を介して該打球槌２０に連結されるワイヤー４０の端部を止着したカム板４１が取着される。そこで、操作レバー２３を所定方向へ回動させることにより、前記カム４１の回転に伴いワイヤー４０が引かれ、打球槌２０の打球力が上がるようになっている。
【００２２】
このように本発明は、軸受部材２９の取付孔３２に操作ハンドル１８の円筒状基部２５を嵌入した状態で、パチンコ遊技機Ｐの前面より後方であって前記取付孔３２より後側へ食み出た部位に位置する環状凹溝２７に抜止部材３５を着脱自在に嵌めることにより、摘み部３６と抜止部３７とが軸受部材２９すなわちフランジ部３０の後面に当接して操作ハンドル１８が固定されるようにした。よって、抜止部材３５を嵌めるのみで、ビス止めすることなく操作ハンドル１８が取り付けられ、その組付作業が簡単になるばかりか取外作業も簡単に行え、引いては、メンテナンスにおける操作ハンドルの取付・取外作業も簡単に行なえ作業性が向上する。
【００２３】
また、抜止部材３５はパチンコ遊技機Ｐの前面より後方、この場合下部前板１４の後側、に位置する環状凹溝２７に嵌められるので、遊技者の不正行為をも防止できる。
【００２４】
図７は他の実施の形態に係る抜止部材４５を使った操作ハンドル部位の分解斜視図である。なお、操作ハンドル１８と軸受部材２９の構成は本実施の形態とほぼ同一なので、同一部位は同一番号を付すことにより詳しい説明は省略する。この実施の形態に係る抜止部材４５は、線材により成形されほぼ左右対称をなす一対の締付杆４６，４６からなる。
【００２５】
各締付杆４６の上部に対向位置して支持片４７が突設され、これら支持片４７，４７の先端部は一部重なり、その重なり部位を支軸４８により軸着される。そして、各締付杆４６の支持片４７よりも上方に指先を掛ける摘み部４９が屈曲して設けられ、支持片４７よりも下方に互いに外側へ円弧状に湾曲させた掛止湾曲部５０が設けられている。また、各掛止湾曲部５０の先端は互いに外側へ屈曲しており、その間に圧縮コイルバネ５１が懸架される。圧縮コイルバネ５１により付勢されているときは、両掛止湾曲部５０，５０間の間隔は円筒状基部２５の外径よりも小さくなり、圧縮コイルバネ５１の付勢に抗して両掛止湾曲部５０，５０間の間隔を広げると、その間隔の寸法は前記円筒状基部２５の外径よりも大きくなる。一方、円筒状基部２５の後側にはその上下部に切除部２６，２６が設けられる。
【００２６】
このように構成される抜止部材４５も、本実施の形態に係る抜止部材３５と同様にして使用される。すなわち、操作ハンドル１８の円筒状基部２５を取付孔３２に嵌入した後に、両摘み部４９，４９を摘むと共に両掛止湾曲部５０，５０を圧縮コイルバネ５１の付勢に抗して外側へ開き、パチンコ遊技機Ｐの前面より後方であって取付孔３２より後側へ食み出た部位に位置する環状凹溝２７に抜止部材４５を嵌める。両摘み部４９，４９を離した状態では、圧縮コイルバネ５１の付勢により両掛止湾曲部５０，５０が窄められ、円筒状基部２５をその外周面から挟みつける。この場合、両摘み部４９，４９と両掛止湾曲部５０，５０の外側へ曲る下端部とが、フランジ部３０の後面に当接して抜止部３７として機能する。これにより、操作ハンドル１８がしっかりと固定される。
【００２７】
前記各抜止部材３５，４５はそれら構成に限られるものではなく、環状凹溝２７に嵌り操作ハンドル１８の抜止が図られれば他の構成であっても良い。また、ハンドル取付部である軸受部材２９を下部前板１４に取着するようにしたが、下部前板１４だけでなく、可能であれば前面枠２に取り付けるようにしても良い。
【図面の簡単な説明】
【００２８】
【図１】本発明が適用されるパチンコ遊技機の正面図。
【図２】下部前板を開き前側から見たパチンコ遊技機の斜視図。
【図３】操作ハンドル部位の分解斜視図。
【図４】抜止部材を取り付ける状態の下部前板の一部断面背面図。
【図５】抜止部材を取り付けた状態の下部前板の一部断面背面図。
【図６】同側面断面図。
【図７】他の実施の形態の抜止部材を使用した操作ハンドル部位の分解斜視図。
【符号の説明】
【００２９】
１８                  操作ハンドル
２５                  円筒状基部
２７                  環状凹溝
２９                  ハンドル取付部（軸受部材）
３２                  取付孔
３５                  抜止部材
３７                  抜止部
４５                  抜止部材
Ｐ                    遊技機（パチンコ遊技機）
【図１】
2006263060.tif 000003
【図２】
2006263060.tif 000004
【図３】
2006263060.tif 000005
【図４】
2006263060.tif 000006
【図５】
2006263060.tif 000007
【図６】
2006263060.tif 000008
【図７】
2006263060.tif 000009